(57)【要約】      （修正有）【課題】外観的な趣きと、命中した際に視覚的な変化を表現することで、遊戯性や視覚効果が高まり、子供から大人まで楽しく、且つ効果的に練習することができるゴルフパットの練習具を提供する。【解決手段】少なくとも１以上の数量を有する標的具１０と、標的具１０を一定の位置に立設する標的具立設体２０とを備える。標的具１０はボーリングのピン形状をなし、標的具立設体２０は、標的具の大径部分を遊着状態で保持する輪状体を具備することが好ましい。【選択図】図１
0003170955.tif 000002
【実用新案登録請求の範囲】
【請求項１】
少なくとも１以上の数量を有する標的具と、該標的具を一定の位置に立設する標的具立設体とを備えることを特徴とするゴルフパットの練習具。
【請求項２】
前記標的具が、ボーリングのピン形状をなす請求項１記載のゴルフパットの練習具。
【請求項３】
前記標的具が、６個の数量からなる請求項１または２記載のゴルフパットの練習具。
【請求項４】
前記標的具立設体が、標的具の大径部分を遊着状態で保持する輪状体を具備する請求項１〜３のうちいずれか一項記載のゴルフパットの練習具。
【請求項５】
前記標的具立設体が、複数の輪状体を連結する連結具を備える請求項１〜４のうちいずれか一項記載のゴルフパットの練習具。
【請求項６】
前記標的具立設体の外周に脚体を形成した請求項１〜５のうちいずれか一項記載のゴルフパットの練習具。
【請求項７】
前記標的具立設体の中央部に把持部を形成した請求項１〜６のうちいずれか一項記載のゴルフパットの練習具。
【請求項８】
前記標的具立設体の把持部に表示具を装着した請求項７記載のゴルフパットの練習具。
【考案の詳細な説明】
【技術分野】
【０００１】
本考案は、ゴルフのパットを練習する練習具であり、特に、遊戯性や視覚効果を高めることで、子供から大人まで楽しく、且つ効果的に練習することができるゴルフパットの練習具に関する。
【背景技術】
【０００２】
ゴルフプレーにおいて、パットの腕を上げることはスコアーメイクの一番の近道である。パットを上達させるにはボールの打ち出しの強弱による距離感、打ち出し角度の方向性を習得する必要がある。また、ボールの転がり具合やグリーンのラインを読むことも大きなポイントとなる。
【０００３】
ゴルフのパットを練習する用具の従来技術として、簡単な器具を用いてプレイヤが各自、随時、任意の場所でパット練習を行うことができるパット練習代用ホール具がある（例えば特許文献１参照）。
【０００４】
上掲特許文献１に記載されたパット練習代用ホール具は、左右一対の停止部材と、その停止部材の一端同士を連結するヒンジと、前記停止部材の他端部を開けた時にその他端部距離が規定のホール径と等しい状態で停止する開き角度規制手段とを備えている。また、停止部材に、ゴルフボール衝突時の振動により音を発生する命中報知手段等を備えている。
【先行技術文献】
【特許文献】
【０００５】
【特許文献１】実開平６−６３０７６号公報（実用新案登録請求の範囲等）
【考案の概要】
【考案が解決しようとする課題】
【０００６】
しかしながら、上掲特許文献１に記載されたパット練習代用ホール具は、外観面に趣きがなく、パットの練習を必ずしも楽しく行うことができない。また、ボールが代用ホール具内に入った際に音を発生するが、視覚的な変化を表現するまでには至らなかった。
【０００７】
そこで本考案の目的は、外観的な趣きと、命中した際に視覚的に興味を引く変化を起こさせることで、遊戯性や視覚効果を高め、子供から大人まで楽しく、且つ効果的に練習することができるゴルフパットの練習具を提供することにある。
【課題を解決するための手段】
【０００８】
上記課題を解決するために、本考案のゴルフパットの練習具は、少なくとも１以上の数量を有する標的具と、該標的具を一定の位置に立設する標的具立設体とを備えることを特徴とする。
【０００９】
本考案のゴルフパットの練習具においては、前記標的具をボーリングのピン形状とすることができる。
【００１０】
また、前記標的具は、好適には６個の数量からなる。
【００１１】
さらに、前記標的具立設体は、標的具の大径部分を遊着状態で保持する輪状体を具備することが好適である。
【００１２】
さらにまた、前記標的具立設体は、複数の輪状体を連結する連結具を好適に備える。
【００１３】
さらにまた、前記標的具立設体の外周に脚体を形成することが好ましい。
【００１４】
さらにまた、前記標的具立設体の中央部に把持部を形成することが好ましい。
【００１５】
さらにまた、前記標的具立設体の把持部に表示具を好適に装着することができる。
【考案の効果】
【００１６】
本考案のゴルフパットの練習具によれば、少なくとも１以上の数量を有する標的具を、例えばボーリングのピン形状とすることで、ボーリング感覚でゴルフパットの練習を行うことができる。
【００１７】
また、標的具の大径部分を遊着状態で保持する輪状体を具備する標的具立設体を備えることで、短時間に容易に、且つ正確に複数の標的具を等間隔に立設することができる。
【図面の簡単な説明】
【００１８】
【図１】本考案の一実施の形態に係るゴルフパットの練習具の斜視図である。
【図２】本考案の好適標的具の斜視図である。
【図３】本考案の好適標的具立設体の平面図である。
【図４】本考案の好適標的具立設体の側面図である。
【図５】本考案の好適標的具立設体の斜視図である。
【図６】標的具立設体に表示具を装着する状態を示す斜視図である。
【図７】本考案の好適標的具立設体に標的具を配置した状態を示す使用図である。
【図８】本考案の好適標的具を立設した状態を示す使用図である。
【図９】（ａ）及び（ｂ）は夫々本考案の一実施例の形態に係るゴルフパットの練習具の使用状態を示す説明図である。
【考案を実施するための形態】
【００１９】
以下、本考案におけるゴルフパットの練習具の実施の形態を図面に基づいて説明する。
【００２０】
図１に示す本考案の一実施例の形態に係るゴルフパットの練習具１は、少なくとも１以上（図示上では６）の数量を有する標的具１０と、標的具１０を一定の位置に立設する標的具立設体２０とを備えている。
【００２１】
図１および図２に示す標的具１０は、外観が小形のボーリングのピン形状を呈しており、例えば、樹脂、金属、木製等の素材で形成することができる。標的具１０は、加工面や製造コスト等を考慮した場合、合成樹脂にて形成することが好ましい。標的具１０をボーリングのピン形状とすることで、パット練習にボーリングの楽しさを加えることができる。
【００２２】
なお、標的具１０の形状は、図示するボーリングのピン形状に限定されたものではなく、人形形状、円筒形、円錐形等、さまざまな形状とし、また種々のデザインを施すことができることは言うまでもない。
【００２３】
標的具１０は、ゴルフボールが当たった際、容易に倒れることができるよう、高さが９０ｍｍ、大径部１１の最大径が３５ミリ程度に形成することが望ましい。また、標的具１０の全体重量を軽量化するために、内部は中空に形成することが好ましい。
【００２４】
図示例の場合、ゴルフパットの練習具１における標的具１０は、パットの練習の際、ゴルフボールを当てて倒れた個数を競うこともできる。そのため、ゴルフボールが命中した際に視覚効果や遊戯性を高めるため、標的具１０の個数は、６個とすることが好ましい。
【００２５】
例えば、標的具１０を１個用いた場合、的中の難易度は向上してパットの方向性の技術が高まる。これに対し、ボーリングのピンの配置のようにして６個または１０個、もしくはそれ以上配置すると、ボールで標的具１０が倒れた際の視覚的興味が高まり、遊戯性が増すことになる。特に、図示するように、標的具１０を６個用いると、パットの方向性や強さの練習に適するのみならず、標的具１０が倒れた際の視覚的効果をも得ることができる。
【００２６】
標的具立設体２０は、前記標的具１０を遊着状態で保持し、標的具１０を床面上に等間隔で立設させる役割を有する。標的具立設体２０は、軽量で加工面において優れている合成樹脂にて形成することが好ましい。かかる標的具立設体２０は、標的具１０の大径部分１１を遊着状態で保持する輪状体２１を有する。
【００２７】
また、標的具立設体２０は、図３乃至図５に示すように、複数の輪状体２１を連結する連結具２２を有する。図示する標的具立設体２０は、６個のボーリングのピン状標的具１０に対応し、連結具２２により６個の輪状体２１が連結されている。かかる標的具立設体２０は全体で三角形状を呈している。
【００２８】
また、標的具立設体２０の外周（角部分）には、脚体２３が形成されている。脚体２３は、輪状体２１内に標的具１０を配置させた際、輪状体２１が標的具１０の大径部分１１に配置できる高さ、例えば２５ｍｍ程度の長さを有することが好ましい。
【００２９】
また、図示例では、標的具立設体２０の中央部に、上方に立設された把持部２４が形成されている。把持部２４は標的具１０を配置させた後に標的具立設体２０を抜き出す際に使用されるもので、長さは約３５ｍｍ程度の軸状に形成されている。
【００３０】
また、他の好適例として、図６に示すように、把持部２４に表示部２５を装着してもよい。表示部２５は把持部２４の上端に装着される軸部２６と、軸部２６の上部に設置されている円形の表示具２７からなる。かかる表示部２５を具備することで、標的具立設体２０の操作や持ち運びが容易になるとともに、表示具２７に色彩や図柄、また広告等を表記することで、宣伝効果や視覚的効果を高めることができる。
【００３１】
次に、本考案におけるゴルフパットの練習具１の使用方法を図７乃至図９に基づいて説明する。
【００３２】
先ず、標的具立設体２０を床面上に配置し、次いで標的具立設体２０の輪状体２１内に標的具１０を挿入する。この際、標的具１０は輪状体２１内に遊着状態で保持されることになる。この方法により図７に示すように、合計６個の標的具１０を輪状体２１内に配置することができる。
【００３３】
合計６個の標的具１０を輪状体２１内に配置させた後、把持部２４を持ち上げ、標的具立設体２０を上方に引き抜くことにより、６個の標的具１０が等間隔に配置された状態で立設される。
【００３４】
６個の標的具１０が等間隔に配置した後、図９の（ａ）に示すように、通常の通り、標的具１０に向けてボールＢをパットする。パットされたボールＢが標的具１０に当たると、（ｂ）に示すように標的具１０がボーリングのピンのように倒れる。なお、図示はしないが、間隔を空けて輪状体２１内に標的具１０を配置させた場合は、標的具１０の間に適宜幅の隙間が生じるため、標的具１０の間にゴルフボールを通すパットの練習を行うこともできる。
【００３５】
本考案のゴルフパットの練習具によれば、外観的な趣きと、命中した際に視覚的に興味を引く変化を起こさせることができ、遊戯性や視覚効果が高まり子供から大人まで楽しく、且つ効果的にゴルフパットの練習をすることができる。
【符号の説明】
【００３６】
１  ゴルフパットの練習具
１０  標的具
１１  大径部分
２０  標的具立設体
２１  輪状体
２２  連結具
２３  脚体
２４  把持部
２５  表示部
２６  軸部
２７  表示具
Ｂ  ボール
【図１】
0003170955.tif 000003
【図２】
0003170955.tif 000004
【図３】
0003170955.tif 000005
【図４】
0003170955.tif 000006
【図５】
0003170955.tif 000007
【図６】
0003170955.tif 000008
【図７】
0003170955.tif 000009
【図８】
0003170955.tif 000010
【図９】
0003170955.tif 000011